(57)【要約】      （修正有）【課題】バンドを確実にロックすることを可能にする留め金を有するバンドを提供する。【解決手段】第１のストランド及び第２のストランドを含むバンドに関する。第２のストランドは、係止装置を含む留め金１ａに結合される。係止装置は、ストランドを互いに結合する。前述の留め金１ａが、第１のストランドを留め金１ａに押し付けることにより、第１のストランドを留め金１ａにより良好に結合するための安全装置１７をさらに含むという点で特徴付けられる。【選択図】図２
0003175603.tif 000002
【実用新案登録請求の範囲】
【請求項１】
第１のストランド（２）と、留め金（１ａ）に接続された第２のストランド（３）とを含み、前記留め金（１ａ）が前記ストランド（２、３）を互いに結合するための係止装置（１３）を含むバンド（１）であって、
該留め金（１ａ）は、前記第１のストランド（２）を該留め金（１ａ）の上に押し付けることによって、該第１のストランド（２）を該留め金（１ａ）に対しより良好に結合するための安全装置（１７）をさらに含み、該留め金（１ａ）は、折り畳み式バックルを有するタイプのものであり、前記バンドを取り外すために、前記係止装置（１３）及び前記安全装置（１７）を操作する必要がないことを特徴とするバンド。
【請求項２】
前記安全装置（１７）は、前記第１のストランド（２）を前記留め金（１ａ）に押し当てて固定するための少なくとも１つの部品（２２）を含むことを特徴とする、請求項１に記載のバンド。
【請求項３】
前記安全装置（１７）は、前記留め金（１ａ）に対して移動可能に取り付けられ、前記ストランド（２）が、該留め金（１ａ）から一時的に取り外されるのを可能にすることを特徴とする、請求項２に記載のバンド。
【請求項４】
前記安全装置（１７）は、前記第１のストランド（２）を前記留め金（１ａ）から選択的に取り外すための一時的な取り付け手段（１８、２０）を含むことを特徴とする、請求項３に記載のバンド。
【請求項５】
前記一時的取り付け手段（１８、２０）は、前記留め金（１ａ）内に配置された凹部（２０）と協働するフック（１８）を含むことを特徴とする、請求項４に記載のバンド。
【請求項６】
前記一時的取り付け手段（１８、２０）は、前記少なくとも１つの部品（２２）の少なくとも一端上に配置されることを特徴とする、請求項４又は請求項５に記載のバンド。
【請求項７】
前記安全装置（１７）は、恒久的な取り付け手段（１９、２１）を介して、前記留め金上に移動可能に取り付けられることを特徴とする、請求項３から請求項６までのいずれかに記載のバンド。
【請求項８】
前記恒久的取り付け手段（１９、２１）は、前記留め金（１ａ）上に配置されたピンと協働し、前記安全装置（１７）が、該留め金（１ａ）に対して回転して移動するのを可能にする小孔（１９）を含むことを特徴とする、請求項７に記載のバンド。
【請求項９】
前記恒久的取り付け手段（１９、２１）は、前記少なくとも１つの部品（２２）の少なくとも一端上に配置されることを特徴とする、請求項７又は請求項８に記載のバンド。
【請求項１０】
前記安全装置（１７）は、一体化させた２つの部品（２２）を含むことを特徴とする、請求項２から請求項９までのいずれかに記載のバンド。
【請求項１１】
前記少なくとも２つの部品（２２）の各々は、ほぼＵ字形状であることを特徴とする、請求項２から請求項１０までのいずれかに記載のバンド。
【請求項１２】
前記留め金（１ａ）は、前記第１のストランドが係合されたときに、前記第１のストランド（２）の横方向及び垂直方向の動きを制限するガイド手段を含むことを特徴とする、請求項１から請求項１１までのいずれかに記載のバンド。
【請求項１３】
前記係止装置（１３）は、前記第１のストランド（２）内に開けられた孔（１４）と協働するための、前記留め金（１ａ）上に移動可能に取り付けられた舌部（１３ａ）を含むことを特徴とする、請求項１から請求項１２までのいずれかに記載のバンド。
【請求項１４】
前記留め金（１ａ）は、前記第２のストランド（３）に結合された折り畳み式バックル（４ａ）を含むことを特徴とする、請求項１から請求項１３までのいずれかに記載のバンド。
【請求項１５】
請求項１から請求項１４までのいずれかに記載のバンドを含むことを特徴とする時計。
【考案の詳細な説明】
【技術分野】
【０００１】
本考案は、第１のストランド及び第２のストランドを含むストラップつまりブレスレット（腕時計に適するバンド）に関する。第２のストランドは、係止装置を含む留め金に連結される。係止装置は、これらのストランドを互いに結合する。
【背景技術】
【０００２】
バックル及び舌部を用いてバンドの２つのストランドを互いに結合する、バンドのための留め金が、従来技術により知られている。このバンドは、バックル及び舌部（係合棒）を有する第１のストランドと、調節孔が開けられた第２のストランドとを含む。第２のストランドは、バックルに係合することにより第１のストランドに取り外し可能に取り付けるためのものである。バックルは、各々に孔が設けられた２つの横方向アームと、両端部がアームの孔に係合するように配置された取り外し可能な横材と、バー上に回転可能に係合される係合孔を有する舌部とを含む。第１のストランドは、バックルのバーを受けるための、ストランドの自由端の近くにある横断方向に配置された端部オリフィスと、舌部の小孔部分を受けるための、自由端から端孔を超えて延びる端部ノッチとを有する。実際には、第２のストランドがバックルに係合されたとき、第２のストランド内の孔の１つに舌部が係合することによって、２つのストランドが結合される。従って、舌部が係合される孔に応じて、第２のバンド・ストランドは、バックルに対しより近くに又はより遠くに係合され、バンドがより強く又はより弱く締められる。
【考案の概要】
【考案が解決しようとする課題】
【０００３】
しかしながら、従来技術のこのバックルの問題の１つは、バックルに係合された状態で、第２のバンド・ストランドが、バックルが固定されているバンド・ストランド上に配置された皮製リングを通り抜けて、第２のストランドを第１のストランドの上に押し付けるようになっていることである。バンドが着用された状態で、第２のストランドに加えられる応力により、ストランドが皮製リングから抜ける可能性があり、そのため、バンドが開いてしまうことがある。
【課題を解決するための手段】
【０００４】
本考案は、バンドを確実にロックすることを可能にする留め金を有するバンドを提案することにより、従来技術の上述の欠点を克服するバンドに関する。
【０００５】
従って、本考案は、留め金が、第１のストランドを留め金の上に押し付けることにより、第１のストランドを留め金に対しより良好な状態で結合するための安全装置をさらに含んでおり、該留め金は折り畳み式バックルを有する形式のものであり、すなわち、バンドを取り外すために、係止装置及び安全装置を操作する必要がないことを特徴とする、前述のバンドに関する。
【０００６】
この腕時計の有利な実施形態が、従属請求項２から従属請求項６までの主題を形成する。
【０００７】
本考案において定められるバンドの１つの利点は、第一に、留め金が確実にロックされることである。本考案は、従来のバックル及び舌部を、安全装置と関連付ける。この装置は、留め金に係合されたバンド・ストランドを、該留め金に押し当てて押し付け、バックルに係合されたストランドが、もはや長手方向に移動できないようにする。このことにより、バンドが偶発的に開くことが防止され、従って、バンドは、安全装置が解除されるまで一定のサイズに調節されたままである。
【０００８】
本考案の別の利点は、留め金が、押しボタンシステムによって制御される折り畳み式バックルを介して第２のストランドに結合される形態においてもたらされる。この場合、安全装置は、生じ得るあらゆる衝撃からバックルの押しボタンを保護する竜頭保護装置のように作用する。
【０００９】
最後に、本考案は、本考案に従ったバンドを含む時計の外装に関する。
【００１０】
本考案による腕時計の目的、利点及び特徴は、非限定的な例として与えられ、添付の図面によって示される本考案の少なくとも１つの実施形態の以下の詳細な説明から、より明らかになるであろう。
【図面の簡単な説明】
【００１１】
【図１】本考案によるバンドの概略図を示す。
【図２】留め金を中心とする図１の部分図を示す。
【図３】留め金・バックルの斜視図を概略的に示す。
【図４】ロックされたバンド・バックルの平面図を示す。
【図５】留め金の安全装置の断面図である。
【図６】好ましい変形による留め金の安全装置の平面図を示す。
【図７】留め金の横方向アームの部分平面図を示す。
【図８】留め金の横方向アームの簡略図を示す。
【考案を実施するための形態】
【００１２】
以下の説明においては、本技術分野における当業者には周知であるバンドの全ての部分は、簡略化された形でのみ説明される。
【００１３】
図１は、本考案によるバンド１の特定の実施形態を示す。バンド１は、留め金１ａを介して取り外し可能に結合される第１のバンド・ストランド２及び第２のバンド・ストランド３を有する。図３に示される留め金１ａは、支持部４及び折り畳み式バックル４ａを含む。折り畳み式バックル４ａは基部５を含み、基部の２つの端部には、好ましくは同様の長さの２つの側部６ａ、６ｂが回動可能に取り付けられる。この基部５は雄型係止部材を含み、その雄型係止部材の目的は、側部６ａ、６ｂ上に位置される雌型係止部材と協働することにある。これにより、バンド１を締めつける際に、折り畳み式バックル４ａを閉じてロックすることが可能になる。
【００１４】
折り畳み式バックル４ａの第１の側部６ａは、支持部４にも回動可能に取り付けられ、第２の側部６ｂは、第２のストランド３に回動可能に取り付けられる。第２の側部６ｂは、ピン７を介して第２のストランド３上に取り付けることができる。
【００１５】
バンド１が、着用する人にとってより快適なものになるように、折り畳み式バックル４ａが、バンド１の形状に従うように又はユーザの手首の形状に部分的に従うように湾曲形状にされる。このことを達成するために、ユーザがバンド１を着用している状態でユーザの手首の形状に完全に又は部分的に合致するように、折り畳み式バックル４ａの基部５が湾曲させられる。図１及び図２に示されるように、折り畳み式バックル４ａが閉じられているときに、側部６ａ、６ｂを基部５に統合させるか又は基部５の形状に少なくとも合致させることができるように、側部６ａ、６ｂも湾曲形状にされる。
【００１６】
支持部４は、第１の側部６ａ上に回動可能に取り付けられており、係止装置１３を含む。従って、支持部４は、該支持部４での第１のストランド２の係合を介してバンド１をはめるのために用いられる。これを達成するために、図３及び図４に示される支持部４は、バンド１のストランド２が係合され得るほぼ矩形のバックルの形を取る。このバックル４は、２つの平行な横方向アーム８から形成され、各アームには孔が開けられている。次いで、それらのアームは対向配置され、アーバー１０はアームに対して横断方向に配置される。このアーバー１０は、折り畳み式バックル４ａの第２の側部６ｂを取り付けるためのものであり、この上に、側部６ｂの雌型係止部材が取り付けられる。アーム８はまた、該アームの一端に配置された横材９と、該横材９の反対側に配置された支持要素１２とによって互いに結合される。この横断方向の支持要素１２は、プレートの形を取り、留め金１ａの係止装置１３と協働するように用いられる。
【００１７】
バックル４ａの機能は、バンド１を閉じること以外に、ガイド手段として働くことである。実際に、第１のストランド２は、係止装置１３を介して第２のストランド３に取り外し可能に取り付けられるように、バックル４に係合する。バックル４に係合すると、第１のストランド２は、図１及び図４に示されるように、バックル４の２つの横方向アーム８の間に挿入され、その結果、バックル内での第１のストランド２の横断方向の動きが、これらの２つのアーム８により制限される。
【００１８】
係止装置１３は、第１のストランド２をバックル４に取り付けるためのものであり、この例では舌部（係合棒）１３ａを含む。実際には、舌部１３ａは、バックル４の２つの横方向アーム８の間に取り付けられたアーバー１１を介して回動可能に取り付けられたピンである。この舌部１３ａは、支持要素１２に当接し、バンド１のサイズの選択を可能にしながら、２つのストランド２、３を互いに結合するために用いられる。このことを達成するために、バックル４に係合する孔１４が、第１のストランド２内に配置される。従って、第１のストランド２がバックル４に係合するとき、舌部１３を孔１４の１つに挿入し、よって、ストランド２をバックル４内にブロックすることができる。勿論、舌部１３ａは、支持要素１２上に直接配置されたフィンガのような他の形を取ることができることが明らかであろう。
【００１９】
第１のストランド２を図４に示されるようにバックル４内に組み入れるために、ストランド２はバックル４内に挿入される。ストランド２は、支持要素１２の位置する側でバックル４に挿入することにより、係合されるのが好ましい。勿論、バックル４の位置を逆にすることもできる。その後で、バンド・ストランド２は、第１の側部６ａ及び舌部１３ａが回動可能に取り付けられるアーバー１０、１１上に載り、次いで、横材９の側から出される。ストランド２が係合された状態になると、あとはバックル４に取り付けるだけでよい。このことを達成するために、ストランド２内の孔１４の１つが舌部１３ａに近接して置かれ、舌部が内部に係合し、よって、第１のストランド２を長手方向にロックするように、ストランド２が長手方向に移動される。
【００２０】
次に、バンド１を締めるため、及び、ユーザが該バンドを着用するのを可能にするために、折り畳み式バックル４を閉じなければならない。このことを達成するために、２つの側部６ａ、６ｂを基部５に向けて折り畳み、側部６ａ、６ｂの雌型ロック部材が基部５の雄型ロック部材と協働するようにする。勿論、異なるシステムを用いて、雌型ロック部材の雄型ロック部材への係合を達成することもできる。実際に、圧力により作動する手段、又は、基部５の雄型ロック部材を把持するフックに作用する押しボタン１５を用いて作動する手段を用いることが可能である。各々の側部６ａ、６ｂが、例えば一方の部分に圧力を用い、他方の部分に押しボタン１５を用いるといった、異なるシステムを有することができることも明らかである。
【００２１】
一般に、第２のバンド・ストランド３は、その端部の近くに、該バンド・ストランド３に固定された、皮又は別の材料で作製されたリング１６を有する。このリング１６は、第１のストランド２の端部をリング１６に係合させ、２つのストランド２、３を互いに対して可能な限り効率的に押し付けることを可能にするように配置される。さらに、本考案によるバンドの留め金１ａに、付加的な要素を設けることができる。例えば、支持部４に付加的なガイド手段を取り付けて、第１のストランド２が支持部４に係合されたときの第１のストランド２の動きをさらに制限することができる。この付加的なガイド手段は、支持部４の一端又は両端に配置された１つ又はそれ以上の小孔の形態を取ることができる。この小孔は、第１のストランド２が辛うじて内部に係合できるだけの空間を可能にする開口部を有する。従って、小孔は、ストランドの隙間を制限することによって、ストランド２の動きを制限する。この付加的なガイド手段は、横材９に近接して配置されることが好ましい。しかしながら、ガイド手段及び皮製リング１６は、絶対確実なものではなく、何らかの応力を受けて、バンド１の第１のストランド２が緩くなり、それによりバンド１が開くこともある。
【００２２】
こうしたことが起こるのを回避するために、支持部４に、この種の不都合を防ぐための安全装置１７が設けられる。安全装置１７は、図１−図４に示されるような、支持部４上に取り付けられた部品の形を取り、一般に、支持部と同じ材料で作製される。次いで、この装置１７は、第１のストランド２をしっかりと固定するように、一時的に支持部４の内部に取り付けられる。従って、この装置１７がストランド２を押し付け、留め金１ａに対するいずれの隙間も防止し、従って、ストランド２の動きをさらに制限する。
【００２３】
有利なことに、本考案によると、時計を着用するために、安全装置１７を開く必要がないことが明らかである。実際に、折り畳み式バックル４ａの使用により、係止装置１３及び安全装置１７を含む組立体をユーザの手首のサイズに応じて一定に調節することが可能になる。
【００２４】
図示される特定の実施形態において、第１のストランド２を留め金に押し当てて固定するのに用いられる部品２２は、図５に示されるような、ほぼＵ字形状の部品２２の形態を取る。この部品２２は、ストランド２の幅全体にわたって均一に固定するための、ほぼ平坦な基部２２ａを含み、その両端部には、２つのアーム２２ｂが基部２２ａに対して直角に取り付けられる。基部２２ａに対して垂直な２つのアーム２２ｂの一方の端部には、フックの形態の隆起部分１８がある。このフック１８は、Ｕ字形状部品２２を支持部４に一時的に取り付けるために用いられる。部品２２の第２の端部には、Ｕ字形状部品２２を支持部４に恒久的に取り付けるための小孔１９が配置される。この小孔は、Ｕ字形状部品２２を支持部上に回転可能に取り付けるために用いられる。
【００２５】
ほぼＵ字形状の部品２２を支持部４上に組み込むために、側部アーム８の一方には、部品２２を一時的に取り付けるための手段が設けられ、他方のアーム８には、該部品２２を恒久的に取り付けるための手段が設けられる。このように、図７に示されるように、アーム８の一方上に、Ｕ字形状部品２２の小孔１９が挿入される恒久的な取り付け用凹部２１が存在する。この凹部の側面の各々には孔２１ａが開けられ、ピンをその中に挿入して、Ｕ字形状部品２２を回動可能に取り付けることを可能にする。一方、支持部の他方の側部アーム８には、部品２２のための組み立て用凹部とは反対側に配置された、一時的取り付け用凹部２０が設けられる。ユーザが留め金１ａをロックすることを望むとき、ユーザは、部品２２を留め金の上に折り畳み、これにより第１のストランド２が固定され、部品２２のフック１８が凹部２０に係合するようにする。
【００２６】
勿論、摺動ブロックなどを用いる異なる方法で、この取り付け部を取り付けることも可能である。さらに、上述のように、留め金が幾つかの安全装置１７を有することも可能であり、そのような場合、支持部４上に幾つかの一連の凹部２０、２１が配置される。
【００２７】
図６に示される好ましい変形において、安全装置１７は、相互に一体化させた２つのＵ字形状部品２２の形を取ることができる。この変形は、応力を分散させることにより、固定面及び実際の固定効率を増大させる利点をもつ。実際に、単一のＵ字形状部品２２を用いる場合、Ｕ字形状部品２２の基部２２ａが、第１のストランド２が当接するアーバー１０、１１の反対側にあるとき、固定が最適なものになる。一方、互いに一体である２つのＵ字形状部品２２を含む安全装置１７を用いる場合、より効率的な固定のために、アーバー１０、１１の反対側の第１のストランド２の部分を囲むように、部品２２を位置決めすることも可能である。第１のバンド・ストランド２は、４つの面、すなわち２つの基部２２ａ及びアーバー１０、１１にわたって分散された応力を受ける。組立体を魅力あるものにするために、これらの２つのＵ字形状部品を互いに一体に作ることもできる。
【００２８】
２つのＵ字形状部品２２を有する安全装置１７の変形が用いられる場合には、該装置を支持部４上に回動可能に取り付けることを可能にする一時的取り付け用凹部２０及び恒久的取り付け用凹部２１が、２倍になることが明らかである。図８は、凹部２１に関して図７の矢印Ａに沿って側面から見たアーム８と、凹部２０に関して矢印Ａ´に沿って見たアーム８とを簡略化された形で示す。この変形はまた、折り畳み式バックル４ａの押しボタン１５も保護する。実際に、図１−図４に示されるように、この変形において、安全装置１７は２つのＵ字形状部品２２が押しボタン１５を囲むように配置され、そのことにより、押しボタン１５は、該押しボタン１５が被り得るあらゆる衝撃から、同じく偶発的に開くことから保護される。
【００２９】
別の変形においては、安全装置１７を支持部４と一体にすることができない。このような場合、Ｕ字形状部品の端部には、フック１８のみが設けられる。結果として、アーム８の各々の凹部は、Ｕ字形状部品が取り付けられる一時的取り付け用凹部２０となる。
【００３０】
勿論、上述したバンド１は、単に説明された特徴に制限されるものではないことが容易に理解される。例えば、バンド１は、上記のような折り畳み式バックル４を有する留め金ではなく、従来の留め金を用いることができる。この留め金は、アーバー１０をピン７に置き換えることによって、支持部４が第２のバンド・ストランド３上に直接回動可能に取り付けられるように配置される。
【００３１】
添付の登録請求の範囲により定められる本考案の範囲から逸脱することなく、上記に提示された本考案の種々の実施形態に対し、当業者には明らかである種々の改変及び／又は改良及び／又は組み合わせをなすことができることは明らかであろう。
【符号の説明】
【００３２】
１  バンド；  １ａ  留め金；  ２  第１のバンド・ストランド；  
３  第２のバンド・ストランド；  ４  支持部；  ４ａ  折り畳み式バックル；  
５、２２ａ  基部；  ６ａ  第１の側部；  ６ｂ  第２の側部；  ７  ピン；  
８、２２ｂ  アーム；  ９  横材；  １０、１１  アーバー；  １２  支持要素；  
１３  係止装置；  １４、２１ａ  孔；  １５  押しボタン；  １６  リング；  
１７  安全装置；  １８  フック；  １９  小孔；  ２０  一時的取り付け用凹部；  
２１  恒久的な取り付け用凹部；  ２２  Ｕ字形状部品。
【図１】
0003175603.tif 000003
【図２】
0003175603.tif 000004
【図３】
0003175603.tif 000005
【図４】
0003175603.tif 000006
【図５】
0003175603.tif 000007
【図６】
0003175603.tif 000008
【図７】
0003175603.tif 000009
【図８】
0003175603.tif 000010
【手続補正書】
【提出日】平成22年1月29日(2010.1.29)
【手続補正１】
【補正対象書類名】実用新案登録請求の範囲
【補正対象項目名】全文
【補正方法】変更
【補正の内容】
【実用新案登録請求の範囲】
【請求項１】
第１のストランド（２）と、留め金（１ａ）に接続された第２のストランド（３）とを含み、前記留め金（１ａ）が前記ストランド（２、３）を互いに結合するための係止装置（１３）を含むバンド（１）であって、
該留め金（１ａ）は、前記第１のストランド（２）を該留め金（１ａ）の上に押し付けることによって、該第１のストランド（２）を該留め金（１ａ）に対しより良好に結合するための安全装置（１７）をさらに含み、
該留め金（１ａ）は、折り畳み式バックルを有するタイプのものであり、前記バンドを取り外すために、前記係止装置（１３）及び前記安全装置（１７）を操作する必要がなく、
該安全装置（１７）は、一体化させた２つの部品（２２）を含む
ことを特徴とするバンド。
【請求項２】
前記安全装置（１７）は、前記留め金（１ａ）に対して移動可能に取り付けられ、前記ストランド（２）が、該留め金（１ａ）から一時的に取り外されるのを可能にすることを特徴とする、請求項１に記載のバンド。
【請求項３】
前記安全装置（１７）は、前記第１のストランド（２）を前記留め金（１ａ）から選択的に取り外すための一時的な取り付け手段（１８、２０）を含むことを特徴とする、請求項２に記載のバンド。
【請求項４】
前記一時的取り付け手段（１８、２０）は、前記留め金（１ａ）内に配置された凹部（２０）と協働するフック（１８）を含むことを特徴とする、請求項３に記載のバンド。
【請求項５】
前記一時的取り付け手段（１８、２０）は、前記少なくとも１つの部品（２２）の少なくとも一端上に配置されることを特徴とする、請求項３または４に記載のバンド。
【請求項６】
前記安全装置（１７）は、恒久的な取り付け手段（１９、２１）を介して、前記留め金上に移動可能に取り付けられることを特徴とする、請求項２〜５のいずれかに記載のバンド。
【請求項７】
前記恒久的取り付け手段（１９、２１）は、前記留め金（１ａ）上に配置されたピンと協働し、前記安全装置（１７）が、該留め金（１ａ）に対して回転して移動するのを可能にする小孔（１９）を含むことを特徴とする、請求項６に記載のバンド。
【請求項８】
前記恒久的取り付け手段（１９、２１）は、前記少なくとも１つの部品（２２）の少なくとも一端上に配置されることを特徴とする、請求項６又は７に記載のバンド。
【請求項９】
前記少なくとも２つの部品（２２）の各々は、ほぼＵ字形状であることを特徴とする、請求項１〜８のいずれかに記載のバンド。
【請求項１０】
前記留め金（１ａ）は、前記第１のストランドが係合されたときに、前記第１のストランド（２）の横方向及び垂直方向の動きを制限するガイド手段を含むことを特徴とする、請求項１〜９のいずれかに記載のバンド。
【請求項１１】
前記係止装置（１３）は、前記第１のストランド（２）内に開けられた孔（１４）と協働するための、前記留め金（１ａ）上に移動可能に取り付けられた舌部（１３ａ）を含むことを特徴とする、請求項１〜１０のいずれかに記載のバンド。
【請求項１２】
前記留め金（１ａ）は、前記第２のストランド（３）に結合された折り畳み式バックル（４ａ）を含むことを特徴とする、請求項１〜１１のいずれかに記載のバンド。
【請求項１３】
請求項１〜１２のいずれかに記載のバンド（１）を含むことを特徴とする時計。
【手続補正書】
【提出日】平成24年2月7日(2012.2.7)
【手続補正１】
【補正対象書類名】実用新案登録請求の範囲
【補正対象項目名】全文
【補正方法】変更
【補正の内容】
【実用新案登録請求の範囲】
【請求項１】
第１のストランド（２）と、留め金（１ａ）に接続された第２のストランド（３）とを含み、前記留め金（１ａ）が前記ストランド（２、３）を互いに結合するための係止装置（１３）を含むバンド（１）であって、
該留め金（１ａ）は、前記第１のストランド（２）を該留め金（１ａ）の上に押し付けることによって、該第１のストランド（２）を該留め金（１ａ）に対しより良好に結合するための安全装置（１７）をさらに含み、
該留め金（１ａ）は、折り畳み式バックルを有するタイプのものであり、前記バンドを取り外すために、前記係止装置（１３）及び前記安全装置（１７）を操作する必要がなく、  該安全装置（１７）は、前記第１のストランド（２）を前記留め金（１ａ）に押し当てて固定するための少なくとも１つの部品（２２）を含み、
前記係止装置（１３）は、つく棒（１３ａ）を含む
ことを特徴とするバンド。
【請求項２】
前記安全装置（１７）は、前記留め金（１ａ）に対して移動可能に取り付けられ、前記ストランド（２）が、該留め金（１ａ）から一時的に取り外されるのを可能にすることを特徴とする、請求項１に記載のバンド。
【請求項３】
前記安全装置（１７）は、前記第１のストランド（２）を前記留め金（１ａ）から選択的に取り外すための一時的な取り付け手段（１８、２０）を含むことを特徴とする、請求項２に記載のバンド。
【請求項４】
前記一時的取り付け手段（１８、２０）は、前記留め金（１ａ）内に配置された凹部（２０）と協働するフック（１８）を含むことを特徴とする、請求項３に記載のバンド。
【請求項５】
前記一時的取り付け手段（１８、２０）は、前記少なくとも１つの部品（２２）の少なくとも一端上に配置されることを特徴とする、請求項３または４に記載のバンド。
【請求項６】
前記安全装置（１７）は、恒久的な取り付け手段（１９、２１）を介して、前記留め金上に移動可能に取り付けられることを特徴とする、請求項２〜５のいずれかに記載のバンド。
【請求項７】
前記恒久的取り付け手段（１９、２１）は、前記留め金（１ａ）上に配置されたピンと協働し、前記安全装置（１７）が、該留め金（１ａ）に対して回転して移動するのを可能にする小孔（１９）を含むことを特徴とする、請求項６に記載のバンド。
【請求項８】
前記恒久的取り付け手段（１９、２１）は、前記少なくとも１つの部品（２２）の少なくとも一端上に配置されることを特徴とする、請求項６又は７に記載のバンド。
【請求項９】
前記少なくとも２つの部品（２２）の各々は、ほぼＵ字形状であることを特徴とする、請求項１〜８のいずれかに記載のバンド。
【請求項１０】
前記留め金（１ａ）は、前記第１のストランドが係合されたときに、前記第１のストランド（２）の横方向及び垂直方向の動きを制限するガイド手段を含むことを特徴とする、請求項１〜９のいずれかに記載のバンド。
【請求項１１】
前記係止装置（１３）は、前記第１のストランド（２）内に開けられた孔（１４）と協働するための、前記留め金（１ａ）上に移動可能に取り付けられたつく棒（１３ａ）を含むことを特徴とする、請求項１〜１０のいずれかに記載のバンド。
【請求項１２】
前記留め金（１ａ）は、前記第２のストランド（３）に結合された折り畳み式バックル（４ａ）を含むことを特徴とする、請求項１〜１１のいずれかに記載のバンド。
【請求項１３】
請求項１〜１２のいずれかに記載のバンド（１）を含むことを特徴とする時計。